【事件の表示】
　特願２００６−３２３２６８「遊技機」拒絶査定不服審判事件〔平成２０年　６月１９日出願公開、特開２００８−１３６５４４〕について、次のとおり審決する。
【結　論】
　本件審判の請求は、成り立たない。
【理　由】
第１　手続の経緯
　本願は，平成１８年１１月３０日の出願であって，平成２３年６月１６日付けで拒絶の理由が通知され，同年８月４日に意見書及び手続補正書が提出され，平成２４年５月９日付けで拒絶の理由が通知され，同年７月１１日に意見書及び手続補正書が提出され，平成２５年４月２日付けで拒絶の理由が通知され，同年６月１０日に意見書及び手続補正書が提出されたところ，同年６月２８日付けで補正却下の決定がなされるとともに拒絶査定がなされ，これに対して，同年９月２５日に拒絶査定不服審判の請求がなされるとともに手続補正がなされたものである。
　
第２　平成２５年９月２５日付けの手続補正についての補正却下の決定 
［補正却下の決定の結論］ 
　平成２５年９月２５日付けの手続補正（以下「本件補正」という。）を却下する。 
　
［理由］ 
１　補正の内容  
　本件補正は，特許請求の範囲を補正する内容を含んでおり，本件補正により，特許請求の範囲は，
「【請求項１】
　遊技盤に形成された始動入賞口を遊技球が通過したことを検出する検出手段と，
　前記検出手段により前記遊技球を検出したことを契機として抽選を行う抽選手段と，
　前記始動入賞口を遊技球が通過したことが前記検出手段によって検出された場合に，図柄の変動表示を開始し，その後，前記変動表示を開始した図柄を停止表示させる図柄表示手段と，
　前記遊技盤に発射された遊技球を，前記遊技盤に形成された前記始動入賞口へ案内するために開閉動作する可動役物と，
　前記可動役物の開閉動作を制御する可動役物制御手段と，
　前記遊技盤に配置され，遊技球が通過可能な普通図柄作動ゲートと，
　前記普通図柄作動ゲートを遊技球が通過したことを契機として抽選を行う普通図柄抽選部と，
　前記可動役物制御手段による制御によらずに前記可動役物が開動作したときに，前記始動入賞口を遊技球が通過したことが前記検出手段によって検出されると，前記始動入賞口を遊技球が通過したことを示す遊技球通過情報を出力する遊技球通過情報出力手段と，を有し，
　前記可動役物制御手段が前記普通図柄抽選部による抽選結果が当たりの場合に前記可動役物を開放させると共に，前記可動役物が開動作しないと，前記遊技盤に発射された遊技球が，その可動役物によって案内される前記始動入賞口を通過しないようにされた遊技機であって，
　前記可動役物は，前記遊技盤に発射された遊技球を，前記始動入賞口へ案内するために開閉動作すると共に，その閉鎖状態において前記始動入賞口への遊技球の入賞を不可能とする始動入賞口可動役物を含み，
　前記図柄表示手段は，前記可動役物制御手段による制御によらずに前記始動入賞口可動役物が開動作したときに，前記始動入賞口を遊技球が通過したことが前記検出手段によって検出された場合には，その遊技球の通過による前記図柄の変動表示を行わないよう制御することを特徴とする遊技機。
【請求項２】
　前記遊技球通過情報出力手段により出力された遊技球通過情報が入力されると，前記始動入賞口を遊技球が通過したことを報知する報知手段を，更に有する請求項１に記載の遊技機。」
から
「【請求項１】
　遊技盤に形成された始動入賞口を遊技球が通過したことを検出する検出手段と，
　前記検出手段により前記遊技球を検出したことを契機として抽選を行う抽選手段と，
　前記始動入賞口を遊技球が通過したことが前記検出手段によって検出された場合に
前記抽選手段による抽選結果が保留可能であり，その保留された抽選結果が変動開始条件を充足した場合に
　前記遊技盤に発射された遊技球を，前記遊技盤に形成された前記始動入賞口へ案内するために開閉動作する可動役物と，
　前記可動役物の開閉動作を制御する可動役物制御手段と，
　前記遊技盤に配置され，遊技球が通過可能な普通図柄作動ゲートと，
　前記普通図柄作動ゲートを遊技球が通過したことを契機として抽選を行う普通図柄抽選部と，
　前記可動役物制御手段による制御によらずに前記可動役物が開動作したときに，前記始動入賞口を遊技球が通過したことが前記検出手段によって検出されると，前記始動入賞口を遊技球が通過したことを示す遊技球通過情報を出力する遊技球通過情報出力手段と，
　
前記可動役物制御手段による制御によって前記可動役物が開動作したことに基づいて，前記始動入賞口を遊技球が通過したことが前記検出手段によって検出されると，遊技球を払い出す払い出し手段と，を有し，
　前記普通図柄抽選部による抽選結果が当たりの場合に
前記可動役物制御手段が
　前記可動役物は，前記遊技盤に発射された遊技球を，前記始動入賞口へ案内するために開閉動作すると共に，その閉鎖状態において前記始動入賞口への遊技球の入賞を
困難
　前記図柄表示手段は，前記可動役物制御手段による制御によらずに前記始動入賞口可動役物が開動作したときに，前記始動入賞口を遊技球が通過したことが前記検出手段によって検出された場合には，その遊技球の通過
を契機とした
し，
　
前記払い出し手段は，前記可動役物制御手段による制御によらずに前記始動入賞口可動役物が開動作した際に前記始動入賞口を遊技球が通過したことが前記検出手段によって検出された場合には，その遊技球の通過を契機とした遊技球の払い出しを行わず，
　
前記払い出し手段は，前記可動役物制御手段による制御に基づき前記始動入賞口可動役物が開動作した後に閉動作した際にその閉動作後の閉状態にて前記始動入賞口を遊技球が通過したことが前記検出手段によって検出された場合には，当該閉動作後の所定時間においては遊技球の払い出しを許可し，
　
所定期間内において，前記可動役物制御手段による制御による前記始動入賞口可動役物の開動作が行われていないにもかかわらず，前記始動入賞口を遊技球が所定個数通過したことが前記検出手段によって検出された場合，入球異常に係る報知を行う
に補正された（下線は，補正箇所を明示するために審決にて付した。）。
　
２　補正の適否
（１）本件補正
本件補正は，特許請求の範囲について，以下に挙げる補正事項を含むものである。
　
ア　補正前の請求項１における「前記始動入賞口を遊技球が通過したことが前記検出手段によって検出された場合に，図柄の変動表示を開始し，その後，前記変動表示を開始した図柄を停止表示させる図柄表示手段と，」という記載を， 
　「前記始動入賞口を遊技球が通過したことが前記検出手段によって検出された場合に
前記抽選手段による抽選結果が保留可能であり，その保留された抽選結果が変動開始条件を充足した場合に
　
イ　補正前の請求項１における「前記可動役物制御手段による制御によらずに前記可動役物が開動作したときに，前記始動入賞口を遊技球が通過したことが前記検出手段によって検出されると，前記始動入賞口を遊技球が通過したことを示す遊技球通過情報を出力する遊技球通過情報出力手段と，を有し，」という記載を，
「前記可動役物制御手段による制御によらずに前記可動役物が開動作したときに，前記始動入賞口を遊技球が通過したことが前記検出手段によって検出されると，前記始動入賞口を遊技球が通過したことを示す遊技球通過情報を出力する遊技球通過情報出力手段と，
　
前記可動役物制御手段による制御によって前記可動役物が開動作したことに基づいて，前記始動入賞口を遊技球が通過したことが前記検出手段によって検出されると，遊技球を払い出す払い出し手段と，を有し，
　
ウ　補正前の請求項１における「前記可動役物制御手段が前記普通図柄抽選部による抽選結果が当たりの場合に前記可動役物を開放させると共に，前記可動役物が開動作しないと，前記遊技盤に発射された遊技球が，その可動役物によって案内される前記始動入賞口を通過しないようにされた遊技機であって，」という記載を，
　「前記普通図柄抽選部による抽選結果が当たりの場合に
前記可動役物制御手段が
　
エ　補正前の請求項１における「前記可動役物は，前記遊技盤に発射された遊技球を，前記始動入賞口へ案内するために開閉動作すると共に，その閉鎖状態において前記始動入賞口への遊技球の入賞を不可能とする始動入賞口可動役物を含み，」という記載を，
　「前記可動役物は，前記遊技盤に発射された遊技球を，前記始動入賞口へ案内するために開閉動作すると共に，その閉鎖状態において前記始動入賞口への遊技球の入賞を
困難
 　 
オ　補正前の請求項１における「前記図柄表示手段は，前記可動役物制御手段による制御によらずに前記始動入賞口可動役物が開動作したときに，前記始動入賞口を遊技球が通過したことが前記検出手段によって検出された場合には，その遊技球の通過による前記図柄の変動表示を行わないよう制御する」という記載を，
　「前記図柄表示手段は，前記可動役物制御手段による制御によらずに前記始動入賞口可動役物が開動作したときに，前記始動入賞口を遊技球が通過したことが前記検出手段によって検出された場合には，その遊技球の通過
を契機とした
し，
　
前記払い出し手段は，前記可動役物制御手段による制御によらずに前記始動入賞口可動役物が開動作した際に前記始動入賞口を遊技球が通過したことが前記検出手段によって検出された場合には，その遊技球の通過を契機とした遊技球の払い出しを行わず，
　
前記払い出し手段は，前記可動役物制御手段による制御に基づき前記始動入賞口可動役物が開動作した後に閉動作した際にその閉動作後の閉状態にて前記始動入賞口を遊技球が通過したことが前記検出手段によって検出された場合には，当該閉動作後の所定時間においては遊技球の払い出しを許可し，
　
カ　補正前の請求項２における「前記遊技球通過情報出力手段により出力された遊技球通過情報が入力されると，前記始動入賞口を遊技球が通過したことを報知する報知手段を，更に有する請求項１に記載の遊技機。」という記載を，
　補正後の請求項１の「
所定期間内において，前記可動役物制御手段による制御による前記始動入賞口可動役物の開動作が行われていないにもかかわらず，前記始動入賞口を遊技球が所定個数通過したことが前記検出手段によって検出された場合，入球異常に係る報知を行う
　
（２）新規事項の有無についての検討
　上記補正事項エは，「前記可動役物は，前記遊技盤に発射された遊技球を，前記始動入賞口へ案内するために開閉動作すると共に，その閉鎖状態において前記始動入賞口への遊技球の入賞を不可能とする始動入賞口可動役物を含み」という記載を，「前記可動役物は，前記遊技盤に発射された遊技球を，前記始動入賞口へ案内するために開閉動作すると共に，その閉鎖状態において前記始動入賞口への遊技球の入賞を
困難
　また，広辞苑第六版には，「困難」の意味として「ものごとをなしとげたり実行したりすることがむずかしいこと。難儀。『―にうちかつ』『―な事態』」と記載されているから，「遊技球の入賞を
困難
　以上のことから，上記補正は，「可動役物は，・・・その閉鎖状態において，前記始動入賞口への遊技球の入賞を不可能とする始動入賞口可動役物を含み」という記載を，実質的に「可動役物は，・・・その閉鎖状態において，前記始動入賞口への遊技球の入賞を
困難（可能）
　
　一方，本件出願の願書に最初に添付された明細書及び図面（以下「当初明細書等」という。）がどのようなものであったか検討すると，当初明細書等には，以下の記載がある（下線は当審で付した。）。
サ「【請求項１】
　遊技盤に発射された遊技球を，前記遊技盤に形成された遊技球通過領域へ案内するために開閉動作する可動役物と，
　前記可動役物の開閉動作を制御する可動役物制御手段と，
　前記遊技球通過領域を遊技球が通過したことを検出する検出手段と，
　前記可動役物制御手段による制御によらずに前記可動役物が開動作したときに，前記遊技球通過領域を遊技球が通過したことが前記検出手段によって検出されると，前記遊技球通過領域を遊技球が通過したことを示す遊技球通過情報を出力する遊技球通過情報出力手段と，
　前記遊技球通過情報出力手段により出力された遊技球通過情報が入力されると，前記遊技球通過領域を遊技球が通過したことを報知する報知手段とを有し，
　
前記可動役物が開動作しないと，前記遊技盤に発射された遊技球が，その可動役物によって案内される遊技球通過領域を通過しないようにした
シ「【請求項５】
　遊技盤に形成された始動入賞口への遊技球の入賞に基づいて抽選を行う抽選手段を有し，
　
前記遊技球通過領域は，前記始動入賞口を含み
　前記可動役物は，前記遊技盤に発射された遊技球を，前記始動入賞口へ案内するために開閉動作する始動入賞口可動役物を含み，
　前記図柄表示手段は，前記可動役物制御手段による制御によらずに前記始動入賞口可動役物が開動作したときに，前記始動入賞口を遊技球が通過したことが前記検出手段によって検出された場合には，その遊技球の通過による前記図柄の変動表示を行わないことを特徴とする請求項４に記載の遊技機。」
ス「【００２５】
　装飾図柄表示装置１０７の下方には，普通電動役物１０４が設けられている。この普通電動役物１０４は，第２の始動入賞口１１２ｂへ遊技球を案内するために開閉動作する。普通電動役物１０４の直上には，コップ型案内部品１１９が設けられている。コップ型案内部品１１９内に入ると，遊技球は第１の始動入賞口１１２ａを通過する。
　尚，
普通電動役物１０４が閉鎖しているときは，その入口がコップ型案内部品１１９によって遮蔽されている。従って，普通電動役物１０４が閉鎖しているときには遊技球が普通電動役物１０４内に入らない。普通電動役物１０４が開放状態となったときにはじめて遊技球が普通電動役物１０４内に入る（すなわち，遊技球が第２の始動入賞口１１２ｂを通過する）。
セ「【００４３】
　また，遊技球が，普通図柄作動ゲート１０３を通過すると，普通図柄表示装置１０８（７セグメントＬＥＤ１２２）が普通図柄の変動表示を開始する。その後，普通図柄表示装置１０８（７セグメントＬＥＤ１２２）に所定の普通図柄（本実施形態では「７」）が停止表示すると，普通電動役物１０４が開閉動作を行う。
普通電動役物１０４が開放すると，遊技球が第２の始動入賞口１１２ｂを通過（入賞）することが可能になる
ソ「【０２２８】
　また，本実施形態では，
第２の始動入賞口１１２ｂ
可動役物が動くことによってのみ遊技球が通過可能な遊技球通過領域であれば
【０２２９】
　なお，
可動役物が動くことによってのみ遊技球が通過可能な遊技球通過領域を有していれば
タ　上記スの記載を参酌すると，図１には，
普通電動役物１０４が閉鎖しているときは，その入口がコップ型案内部品１１９によって遮蔽されることによって，遊技球が普通電動役物１０４内の第２の始動入賞口１１２ｂを通過しない
　
　上記サ〜タの記載のとおり，当初明細書等には，可動役物（普通電動役物１０４）が開動作しないと，遊技球が始動入賞口（第２の始動入賞口１１２ｂ）を通過しない点しか記載されておらず，「可動役物は，その閉鎖状態において，始動入賞口への遊技球の入賞を
困難（可能）
　また，「可動役物は，・・・その閉鎖状態において，前記始動入賞口への遊技球の入賞を
困難（可能）
　そして，この補正により「可動役物は，・・・その閉鎖状態において，前記始動入賞口への遊技球の入賞を
困難（可能）
　以上のことから，上記補正事項エは，当初明細書等に記載された事項の範囲内においてしたものではない。
　
　したがって，本件補正は，平成１８年法律第５５号改正附則第３条第１項によりなお従前の例によるとされる同法による改正前の特許法第１７条の２第３項の規定に違反するので，同法第１５９条第１項において読み替えて準用する同法第５３条第１項の規定により却下すべきものである。 
　
（３）補正の目的要件違反についての検討 
　仮に，本件補正が，当初明細書等に記載した事項の範囲内においてしたものであると仮定して，本件補正が平成１８年法律第５５号改正附則第３条第１項によりなお従前の例によるとされる同法による改正前の特許法第１７条の２第４項に規定する要件を満たしているか検討する。 
　
ア　補正事項アについて
　補正事項アは，図柄表示手段において，「検出手段によって検出された場合に」どのようなことを行うか，「図柄の変動表示を開始」するのはどのような場合か，具体的に特定するものであるから，特許法第１７条の２第４項第２号に規定する限定的減縮を目的とするものに該当する。
　
イ　補正事項イ及び補正事項オの一部について
　補正事項イ及び補正事項オの「
前記払い出し手段は，前記可動役物制御手段による制御によらずに前記始動入賞口可動役物が開動作した際に前記始動入賞口を遊技球が通過したことが前記検出手段によって検出された場合には，その遊技球の通過を契機とした遊技球の払い出しを行わず，前記払い出し手段は，前記可動役物制御手段による制御に基づき前記始動入賞口可動役物が開動作した後に閉動作した際にその閉動作後の閉状態にて前記始動入賞口を遊技球が通過したことが前記検出手段によって検出された場合には，当該閉動作後の所定時間においては遊技球の払い出しを許可し，
　補正前の発明と補正後の発明とを比較すると，補正後の発明は払い出し手段を有するので，本願明細書の【課題を解決するための手段】の記載である段落【０００８】に記載された「前記可動役物制御手段による制御によって前記可動役物が開動作したことに基づいて，前記遊技球通過領域を遊技球が通過したことが前記検出手段によって検出されると，遊技球を払い出す払い出し手段を有し，前記払い出し手段は，前記可動役物制御手段による制御によらずに前記可動役物が開動作したことに基づいて，前記遊技球通過領域を遊技球が通過しても，遊技球を払い出さない」という効果を奏する点で相違するから，解決しようとする課題が同一であるとはいえない。
　以上のことから，補正事項イ及び補正事項オ１は，特許法第１７条の２第４項第２号に規定する限定的減縮を目的とする補正には該当しない。
　また，補正事項イ及び補正事項オ１は，特許法第１７条の２第４項第１号に規定する請求項の削除，特許法第１７条の２第４項第３号に規定する誤記の訂正，特許法第１７条の２第４項第４号に規定する明りょうでない記載の釈明のいずれにも該当しない。
　よって，補正事項イ及び補正事項オ１は，特許法第１７条の２第４項の規定に違反するものである。
　
ウ　補正事項ウについて
　補正事項ウは，「可動役物を開放させる」手段が「可動役物開放制御手段」であると限定するものであるから，特許法第１７条の２第４項第２号に規定する限定的減縮を目的とするものに該当する。
　
エ　補正事項エについて
　補正事項エは，上記（２）において既に検討しているように，「可動役物は，・・・その閉鎖状態において，前記始動入賞口への遊技球の入賞を不可能とする始動入賞口可動役物を含み」という記載を，実質的に「可動役物は，・・・その閉鎖状態において，前記始動入賞口への遊技球の入賞を
困難（可能）
　また，補正事項エは，特許法第１７条の２第４項第１号に規定する請求項の削除，特許法第１７条の２第４項第３号に規定する誤記の訂正，特許法第１７条の２第４項第４号に規定する明りょうでない記載の釈明のいずれにも該当しない。
　よって，補正事項エは，特許法第１７条の２第４項の規定に違反するものである。
　
オ　補正事項オの残りについて
　補正事項オは，上記イで検討した補正事項オ１以外に，「その遊技球の通過による前記図柄の変動表示を行わないよう」という記載を「その遊技球の通過
を契機とした
　補正事項オ２は，「その遊技球の通過による前記図柄の変動表示を行わないよう」という記載を，同じ意味内容である「その遊技球の通過
を契機とした
　
カ　補正事項カについて
　補正事項カは，始動入賞口を遊技球が通過したことを報知する内容を，より具体的に特定するものであるが，「遊技球通過情報が入力されると」「報知する」構成，「報知手段」を有する構成を削除するものであるから，特許法第１７条の２第４項第２号に規定する限定的減縮を目的とする補正には該当しない。
　また，補正事項エは，特許法第１７条の２第４項第１号に規定する請求項の削除，特許法第１７条の２第４項第３号に規定する誤記の訂正，特許法第１７条の２第４項第４号に規定する明りょうでない記載の釈明のいずれにも該当しない。
　
　次に，補正事項カが「
所定期間内において，前記可動役物制御手段による制御による前記始動入賞口可動役物の開動作が行われていないにもかかわらず，前記始動入賞口を遊技球が所定個数通過したことが前記検出手段によって検出された場合，入球異常に係る報知を行う
　補正前の請求項１には報知手段に関する構成は記載されておらず，補正前の発明と補正後の発明とを比較すると，補正後の発明は入賞異常に係る報知を行う構成を有するので，本願明細書の【課題を解決するための手段】の記載である段落【０００８】に記載された「かかる構成では，遊技機の制御によって可動役物が開動作しないと，遊技球が遊技球通過領域を通過しても，賞球が行われないようにしている遊技機であっても，遊技球通過領域を遊技球が通過したことを確実に報知することができる。」という効果を奏する点で相違するから，解決しようとする課題が同一であるとはいえない。
　以上のことから，補正事項カは，特許法第１７条の２第４項第２号に規定する限定的減縮を目的とする補正には該当しない。
　また，補正事項カは，特許法第１７条の２第４項第１号に規定する請求項の削除，特許法第１７条の２第４項第３号に規定する誤記の訂正，特許法第１７条の２第４項第４号に規定する明りょうでない記載の釈明のいずれにも該当しない。
　よって，補正事項カは，特許法第１７条の２第４項の規定に違反するものである。
　
　したがって，本件補正は，平成１８年法律第５５号改正附則第３条第１項によりなお従前の例によるとされる同法による改正前の特許法第１７条の２第４項の規定に違反するので，同法第１５９条第１項において読み替えて準用する同法第５３条第１項の規定により却下すべきものである。
　
第３　本願発明について
１　本願発明
　本件補正は上記のとおり却下されたので，本願の各請求項に係る発明は，平成２４年７月１１日付け手続補正書により補正された特許請求の範囲に記載されたとおりのものであり，特に，請求項１に係る発明（以下「本願発明」という。）は次のとおりである。
「【請求項１】
　遊技盤に形成された始動入賞口を遊技球が通過したことを検出する検出手段と，
　前記検出手段により前記遊技球を検出したことを契機として抽選を行う抽選手段と，
　前記始動入賞口を遊技球が通過したことが前記検出手段によって検出された場合に，図柄の変動表示を開始し，その後，前記変動表示を開始した図柄を停止表示させる図柄表示手段と，
　前記遊技盤に発射された遊技球を，前記遊技盤に形成された前記始動入賞口へ案内するために開閉動作する可動役物と，
　前記可動役物の開閉動作を制御する可動役物制御手段と，
　前記遊技盤に配置され，遊技球が通過可能な普通図柄作動ゲートと，
　前記普通図柄作動ゲートを遊技球が通過したことを契機として抽選を行う普通図柄抽選部と，
　前記可動役物制御手段による制御によらずに前記可動役物が開動作したときに，前記始動入賞口を遊技球が通過したことが前記検出手段によって検出されると，前記始動入賞口を遊技球が通過したことを示す遊技球通過情報を出力する遊技球通過情報出力手段と，を有し，
　前記可動役物制御手段が前記普通図柄抽選部による抽選結果が当たりの場合に前記可動役物を開放させると共に，前記可動役物が開動作しないと，前記遊技盤に発射された遊技球が，その可動役物によって案内される前記始動入賞口を通過しないようにされた遊技機であって，
　前記可動役物は，前記遊技盤に発射された遊技球を，前記始動入賞口へ案内するために開閉動作すると共に，その閉鎖状態において前記始動入賞口への遊技球の入賞を不可能とする始動入賞口可動役物を含み，
　前記図柄表示手段は，前記可動役物制御手段による制御によらずに前記始動入賞口可動役物が開動作したときに，前記始動入賞口を遊技球が通過したことが前記検出手段によって検出された場合には，その遊技球の通過による前記図柄の変動表示を行わないよう制御することを特徴とする遊技機。」
　
２　先願に記載された発明
　原査定の拒絶の理由（平成２５年４月２日付け拒絶理由通知）に先願６として引用された特願２００６−２８２００８号（特開２００８−９３３６３号）（以下「先願」という。）には，図面とともに以下の事項が記載されている（下線は審決で付した。以下同じ。）。
（ａ）「【００３３】
　図１に示すように，
パチンコ遊技機１
（ｂ）「【００４０】
　また，第１始動入賞口１３の真下には，第２始動入賞口１４が形成されている。そして，第２始動入賞口１４には開閉動作を行う可変入賞球装置１５が設けられている。
可変入賞球装置１５が物理的に閉じている状態のときは第２始動入賞口１４に遊技球が入賞せず
可変入賞球装置１５は，ソレノイド１６によって開閉される
可変入賞球装置１５が開いた状態になることによって，遊技球が第２始動入賞口１４に入賞し易くなり
（ｃ）「【００４２】
　可変表示装置９の真上には，普通図柄表示器１０が設けられている。普通図柄表示器１０は，普通図柄と呼ばれる複数種類の識別情報（例えば，「○」および「×」）を可変表示する。
【００４３】
　
ゲート３２に遊技球が通過しゲートスイッチ３２ａで検出されると，普通図柄表示器１０の表示の可変表示が開始され
可変表示の終了時に左側のランプが点灯すれば当りとなる
【００４４】
　遊技盤６には，複数の入賞口２９，３０，３３，３９が設けられ，遊技球の入賞口２９，３０，３３，３９への入賞は，それぞれ入賞口スイッチ２９ａ，３０ａ，３３ａ，３９ａによって検出される。各入賞口２９，３０，３３，３９は，遊技球を受け入れて入賞を許容する領域として
遊技盤６に設けられる入賞領域
第２始動入賞口１４
も
入賞領域を構成する
（ｄ）「【００４６】
　遊技機には，遊技者が打球操作ハンドル５を操作することに応じて駆動モータを駆動し，駆動モータの回転力を利用して
遊技球を遊技領域７に発射する
遊技球が
第２始動入賞口１４に入り
第２始動口スイッチ１４ａで検出されると，
特別図柄表示器８において特別図柄の可変表示（変動）が開始されるとともに，可変表示装置９において飾り図柄の可変表示が開始され
【００４７】
　特別図柄表示器８における特別図柄および可変表示装置９の飾り図柄の可変表示は，
所定時間が経過したときに停止する
（ｅ）「【００７７】
　また，ゲートスイッチ３２ａ，第１始動口スイッチ１３ａ，第２始動口スイッチ１４ａ，カウントスイッチ２３，入賞口スイッチ２９ａ，３０ａ，３３ａ，３９ａからの検出信号を遊技制御用マイクロコンピュータ５６０に与える入力ドライバ回路５８も主基板３１に搭載されている。また，
可変入賞球装置１５を開閉するソレノイド１６
を遊技制御用マイクロコンピュータ５６０からの指令に従って駆動する出力回路５９
（ｆ）「【０１０５】
　初期化処理の実行（ステップＳ１０〜Ｓ１５）が完了すると，ＣＰＵ５６は，メイン処理で，表示用乱数更新処理（ステップＳ１７）および初期値用乱数更新処理（ステップＳ１８）を繰り返し実行する。表示用乱数更新処理および初期値用乱数更新処理を実行するときには割込禁止状態に設定し（ステップＳ１６），表示用乱数更新処理および初期値用乱数更新処理の実行が終了すると割込許可状態に設定する（ステップＳ１９）。この実施の形態では，表示用乱数とは，特別図柄の停止図柄を決定するための乱数や変動パターンを決定するための乱数であり，表示用乱数更新処理とは，表示用乱数を発生するためのカウンタのカウント値を更新する処理である。また，初期値用乱数更新処理とは，初期値用乱数を発生するためのカウンタのカウント値を更新する処理である。この実施の形態では，初期値用乱数とは，普通図柄に関して当りとするか否か決定するための乱数を発生するためのカウンタ（普通図柄当り判定用乱数発生カウンタ）等の，カウント値の初期値を決定するための乱数である。後述する遊技の進行を制御する遊技制御処理（
遊技制御用マイクロコンピュータ５６０が
可変入賞球装置
を
自身で制御する
または他のマイクロコンピュータに制御させるために指令信号を送信する
（ｇ）「【０１０８】
　また，ＣＰＵ５６は，正規の時期以外の時期において大入賞口に遊技球が入賞したことを検出した場合や，
正規の時期以外の時期において第２始動入賞口に遊技球が入賞したことを検出した場合に，異常入賞の報知を行わせるための処理を行う
（ｈ）「【０１３７】
　次に，
遊技制御用マイクロコンピュータ５６０は
遊技盤６に設けられている第２始動入賞口１４に遊技球が入賞したことを検出する
第２始動口スイッチ１４ａがオンし
たら，
【０１３８】
　保留記憶数が上限値に達していないときは（ステップＳ３１６のＮ），
遊技制御用マイクロコンピュータ５６０は
大当り判定用乱数
を抽出し，
抽出した乱数値として
保存領域に格納する
（ｉ）「【０１８４】
　次いで，
遊技制御用マイクロコンピュータ５６０は
大当り判定用乱数を読み出し
大当り判定処理モジュールを実行する
大当り判定モジュールは，あらかじめ決められている大当り判定値と大当り判定用乱数値とを比較し，それらが一致したら大当りとすることに決定する処理を実行する
（ｊ）「【０３１６】
　普通図柄停止処理（ステップＳ１０２）：
遊技制御用マイクロコンピュータ５６０は，
普通図柄の停止図柄が当り図柄であれば，
【０３１７】
　普通電動役物作動処理（ステップＳ１０３）：遊技制御用マイクロコンピュータ５６０は，普通図柄プロセスタイマがタイムアウトしていないことを条件に，普通電動役物（可変入賞球装置１５）への遊技球の入賞個数（第２始動入賞口１４への入賞個数）をカウントする普通電動役物入賞カウント処理を実行し，また，設定された開放パターンで普通電動役物の開放を行う（
可変入賞球装置１５の開閉動作を実行する
（ｋ）「【０３７０】
　ステップＳ２６１では，遊技制御用マイクロコンピュータ５６０は，普通図柄プロセスフラグの値が３であるか否か確認する（ステップＳ２６１）。普通図柄プロセスフラグの値が３である状態は，普通電動役物（可変入賞球装置１５）が開状態であると判断される状態（可変入賞球装置１５が物理的に開いている状態のときと，可変入賞球装置１５が物理的に閉鎖されてから所定のインターバル期間を経過するまでの状態のときとを含む）である。そのような状態であれば（ステップＳ２６１のＹ），第２始動入賞口１４に遊技球が入賞する可能性があるので，第２始動入賞口１４への異常入賞の確認処理を行わずに異常入賞報知処理を終了する。
【０３７１】
　普通図柄プロセスフラグの値が３でない状態は（ステップＳ２６１のＮ），普通電動役物（可変入賞球装置１５）が開状態以外のの状態と判断される状態である。このような状態のときに第２始動入賞口１４に遊技球の入賞があれば，その入賞は異常入賞である可能性がある。従って，以下に示す第２始動入賞口１４への異常入賞の確認処理を行う。
【０３７２】
　すなわち，普通図柄プロセスフラグの値が３でなければ（ステップＳ２６１のＮ），遊技制御用マイクロコンピュータ５６０は，スイッチオンバッファの内容をレジスタにロードする（ステップＳ２６２）。そして，遊技制御用マイクロコンピュータ５６０は，ロードしたスイッチオンバッファの内容と第２始動口スイッチ入力ビット判定値（８０（Ｈ），図４８参照）との論理積をとる（ステップＳ２６３）。スイッチオンバッファの内容が８０（Ｈ）であったとき，すなわち
第２始動口スイッチ１４ａがオンしているときには，論理積の演算結果は８０（Ｈ）になる
【０３７３】
　
論理積の演算結果が０でない場合には
第２始動入賞口１４が開状態以外の状態
であるにもかかわらず，第２始動入賞口１４に遊技球が入賞した場合である。この場合
遊技制御用マイクロコンピュータ５６０は，第２始動入賞口１４への異常入賞が生じたと判定し，
演出制御基板８０に，異常入賞報知１指定コマンドを送信する
（ｌ）「【０５７１】
実施の形態３．
　上記の実施の形態１では，第２始動入賞口１４への異常入賞が生じたことが検出されたときでも，特別図柄表示器８における特別図柄の変動や可変表示装置９における飾り図柄の変動は継続して実行されるように構成されていた。従って，
不正に第２始動入賞口１４に遊技球を入賞させた場合
普通図柄が当り図柄になっていないのに不正に可変入賞球装置１５を開放させ，第２始動入賞口１４に遊技球を入賞させたような場合
【０５７２】
　図９０は，実施の形態３における特別図柄プロセス処理を示すフローチャートである。特別図柄プロセス処理において，
遊技制御用マイクロコンピュータ５６０は，
第２始動入賞口１４
への異常入賞が発生したと判定したことにもとづいて，
【０５７３】
　異常入賞報知フラグがセットされているときは（ステップＳ３１９ＡのＹ），遊技制御用マイクロコンピュータ５６０は，特別図柄表示器８において特別図柄の変動が行われているかどうか，具体的には特別図柄プロセスフラグの値が特別図柄変動中処理（ステップＳ３０２）を示す値（「２」）であるかどうかを判定する（ステップＳ３１９Ｂ）。特別図柄プロセスフラグの値が特別図柄変動中処理を示す値（「２」）であるときは（ステップＳ３１９ＢのＹ），ステップＳ３１１以降の処理を実行する。すなわち，特別図柄表示器８において特別図柄の変動を継続して実行させる。一方，特別図柄プロセスフラグの値が特別図柄変動中処理を示す値（「２」）でないときは（ステップＳ３１９ＢのＮ），特別図柄プロセス処理を終了させる。すなわち，特別図柄表示器８において特別図柄の変動制御を停止させる。このような構成により，大入賞口または
第２始動入賞口１４への異常入賞が検出された時点で，特別図柄の変動中でないときは，直ちに特別図柄の変動が禁止され，特別図柄の変動中であったときは，特別図柄の変動を継続させ，次の特別図柄の変動が禁止される
【０５７４】
　図９１は，実施の形態３における演出制御プロセス処理を示すフローチャートである。演出制御プロセス処理において，
演出制御用マイクロコンピュータ１００は，
異常入賞報知１指定コマンド
を受信した時点で，飾り図柄の変動中でないときは，直ちに飾り図柄の変動が禁止され，飾り図柄の変動中であったときは，飾り図柄の変動を継続させ，次の飾り図柄の変動が禁止される
【０５７５】
　以上のように，この実施の形態３によれば，大入賞口または第２始動入賞口１４への異常入賞の検出にもとづいて特別図柄表示器８における特別図柄の変動および可変表示装置９における飾り図柄の変動を禁止する制御を実行するので，不正行為によって大入賞口または第２始動入賞口１４への入賞を発生させたような場合（例えば，普通図柄が当り図柄になっていないのに可変入賞球装置１５を開放させて遊技球を第２始動入賞口１４に入賞させるような場合）であっても，その入賞にもとづいて大当りが発生するのを確実に防止することができる。」
（ｎ）　上記（ｃ）の記載を参酌すると，図１には，
遊技盤６に配置されたゲート３２
　
　上記の事項を総合すると，先願には，次の発明が記載されていると認められる（以下「先願発明」という。）。
「遊技盤６に設けられている第２始動入賞口１４に遊技球が入賞したことを検出する第２始動口スイッチ１４ａと，
　第２始動口スイッチ１４ａがオンしたら，大当り判定用乱数を抽出し，あらかじめ決められている大当り判定値と大当り判定用乱数値とを比較し，それらが一致したら大当りとすることに決定する処理を実行する遊技制御用マイクロコンピュータ５６０と，
　遊技球が第２始動入賞口１４に入り第２始動口スイッチ１４ａで検出されると，特別図柄の可変表示（変動）が開始され，所定時間が経過したときに停止する特別図柄表示器８と，遊技球が第２始動入賞口１４に入り第２始動口スイッチ１４ａで検出されると，飾り図柄の可変表示が開始され，所定時間が経過したときに停止する可変表示装置９と，
　遊技盤６に設けられる遊技領域７に発射された遊技球を，開いた状態になることによって，第２始動入賞口１４に入賞し易くなるように開閉される可変入賞球装置１５と，
　可変入賞球装置１５を開閉するソレノイド１６を駆動する指令を出力する遊技制御用マイクロコンピュータ５６０と，
　遊技盤６に配置され，遊技球が通過するゲート３２と，
　ゲート３２に遊技球が通過しゲートスイッチ３２ａで検出されると，普通図柄表示器１０の表示の可変表示が開始され，可変表示の終了時に左側のランプが点灯すれば当りとなる手段と，
　普通図柄が当り図柄になっていないのに不正に可変入賞球装置１５を開放させ，第２始動入賞口１４に遊技球を入賞させた場合のように，第２始動入賞口１４が開状態以外の状態であるにもかかわらず，第２始動入賞口１４に遊技球が入賞して第２始動口スイッチ１４ａがオンした場合，第２始動入賞口１４への異常入賞が生じたと判定し，演出制御基板８０に異常入賞報知１指定コマンドを送信する遊技制御用マイクロコンピュータ５６０と，を有し，
　遊技制御用マイクロコンピュータ５６０は，普通図柄の停止図柄が当り図柄であれば，可変入賞球装置１５の開閉動作を実行し，可変入賞球装置１５が物理的に閉じている状態のときは第２始動入賞口１４に遊技球が入賞しないパチンコ遊技機１であって，
　可変入賞球装置１５は，遊技盤６に設けられる遊技領域７に発射された遊技球を，可変入賞球装置１５が開いた状態になることによって，第２始動入賞口１４に入賞し易くなるように開閉されると共に，可変入賞球装置１５が物理的に閉じている状態のときは第２始動入賞口１４に遊技球が入賞しない可変入賞球装置１５であり，
　遊技制御用マイクロコンピュータ５６０は，第２始動入賞口１４への異常入賞が発生したと判定したことにもとづいて，第２始動入賞口１４への異常入賞が検出された時点で，特別図柄表示器８において特別図柄の変動中でないときは，直ちに特別図柄の変動が禁止され，特別図柄表示器８において特別図柄の変動中であったときは，特別図柄の変動を継続させ，次の特別図柄の変動が禁止されるように制御し，演出制御用マイクロコンピュータ１００は，異常入賞報知１指定コマンドを受信した時点で，可変表示装置９において飾り図柄の変動中でないときは，直ちに飾り図柄の変動が禁止され，可変表示装置９において飾り図柄の変動中であったときは，飾り図柄の変動を継続させ，次の飾り図柄の変動が禁止されるように制御するパチンコ機１。」
　
３　対比
　本願発明と先願発明とを対比する。
　
（１）先願発明の「遊技盤６」，「第２始動入賞口１４」及び「第２始動口スイッチ１４ａ」は，それぞれ，本願発明の「遊技盤」，「始動入賞口」及び「検出手段」に相当する。 
　また，本願明細書の段落【００４３】に「普通電動役物１０４が開放すると，遊技球が第２の始動入賞口１１２ｂを通過（入賞）することが可能になる。」と記載されているとおり，始動入賞口に「入賞すること」と「通過すること」は同義であるから，先願発明の「第２始動入賞口１４に遊技球が入賞したこと」が本願発明の「始動入賞口を遊技球が通過したこと」に相当する。
　したがって，先願発明の「遊技盤６に設けられている第２始動入賞口１４に遊技球が入賞したことを検出する第２始動口スイッチ１４ａ」は，本願発明の「遊技盤に形成された始動入賞口を遊技球が通過したことを検出する検出手段」に相当する。 
　
（２）先願発明の「遊技制御用マイクロコンピュータ５６０」は，本願発明の「抽選手段」に相当する。 
　また，先願発明の「遊技制御用マイクロコンピュータ５６０」は，「大当り判定用乱数を抽出し，あらかじめ決められている大当り判定値と大当り判定用乱数値とを比較し，それらが一致したら大当りとすることに決定する」から，本願発明の「抽選を行う」に相当する構成を有している。
　したがって，先願発明の「第２始動口スイッチ１４ａがオンしたら，大当り判定用乱数を抽出し，あらかじめ決められている大当り判定値と大当り判定用乱数値とを比較し，それらが一致したら大当りとすることに決定する処理を実行する遊技制御用マイクロコンピュータ５６０」は，本願発明の「前記検出手段により前記遊技球を検出したことを契機として抽選を行う抽選手段」に相当する。
　
（３）先願発明の「特別図柄」及び「飾り図柄」は，本願発明の「図柄」に，先願発明の「特別図柄表示器８」及び「可変表示装置９」は，本願発明の「図柄表示手段」に相当する。 
　したがって，先願発明の「遊技球が第２始動入賞口１４に入り第２始動口スイッチ１４ａで検出されると，特別図柄の可変表示（変動）が開始され，所定時間が経過したときに停止する特別図柄表示器８」及び「遊技球が第２始動入賞口１４に入り第２始動口スイッチ１４ａで検出されると，飾り図柄の可変表示が開始され，所定時間が経過したときに停止する可変表示装置９」は，本願発明の「前記始動入賞口を遊技球が通過したことが前記検出手段によって検出された場合に，図柄の変動表示を開始し，その後，前記変動表示を開始した図柄を停止表示させる図柄表示手段」に相当する。
　
（４）先願発明の「可変入賞球装置１５」は，本願発明の「可動役物」に相当する。 
　また，先願発明の「遊技盤６に設けられる遊技領域７に発射された遊技球を，開いた状態になることによって，第２始動入賞口１４に入賞し易くなるように開閉される可変入賞球装置１５」において，図１を参酌すると開いた状態になっているとき遊技球を第２始動入賞口１４に案内することは明らかであるから，先願発明の当該構成は本願発明の「前記遊技盤に発射された遊技球を，前記遊技盤に形成された前記始動入賞口へ案内するために開閉動作する可動役物」に相当する。
　
（５）先願発明の「遊技制御用マイクロコンピュータ５６０」は，本願発明の「可動役物制御手段」に相当する。 
　また，先願発明の「遊技制御用マイクロコンピュータ５６０」は，「可変入賞球装置１５を開閉するソレノイド１６を駆動する指令を出力する」から，本願発明の「前記可動役物の開閉動作を制御する」に相当する構成を有している。
　したがって，先願発明の「可変入賞球装置１５を開閉するソレノイド１６を駆動する指令を出力する遊技制御用マイクロコンピュータ５６０」は，本願発明の「前記可動役物の開閉動作を制御する可動役物制御手段」に相当する。
　
（６）先願発明の「ゲート３２」は，本願発明の「普通図柄作動ゲート」に相当する。
　したがって，先願発明の「遊技盤６に配置され，遊技球が通過するゲート３２」は，本願発明の「前記遊技盤に配置され，遊技球が通過可能な普通図柄作動ゲート」に相当する。
　
（７）先願発明の「ゲート３２に遊技球が通過しゲートスイッチ３２ａで検出されると，普通図柄表示器１０の表示の可変表示が開始され，可変表示の終了時に左側のランプが点灯すれば当りとなる手段」において，可変表示の終了時に右側のランプが点灯すれば当りとならないことは明らかであり，左右のランプのうちどちらのランプが点灯するかにより当りになるか否かを決めているから，先願発明の当該構成は，本願発明の「前記普通図柄作動ゲートを遊技球が通過したことを契機として抽選を行う普通図柄抽選部」に相当する。
　
（８）先願発明の「異常入賞報知１指定コマンド」及び「遊技制御用マイクロコンピュータ５６０」は，それぞれ，本願発明の「遊技球通過情報」及び「遊技球通過情報出力手段」に相当する。
　また，先願発明の「遊技制御用マイクロコンピュータ５６０」は，「普通図柄が当り図柄になっていないのに不正に可変入賞球装置１５を開放させ，第２始動入賞口１４に遊技球を入賞させた場合のように，第２始動入賞口１４が開状態以外の状態であるにもかかわらず，第２始動入賞口１４に遊技球が入賞して第２始動口スイッチ１４ａがオンした場合，第２始動入賞口１４への異常入賞が生じたと判定し，演出制御基板８０に異常入賞報知１指定コマンドを送信する」から，本願発明の「前記可動役物制御手段による制御によらずに前記可動役物が開動作したときに，前記始動入賞口を遊技球が通過したことが前記検出手段によって検出されると，前記始動入賞口を遊技球が通過したことを示す遊技球通過情報を出力する」に相当する構成を有している。
　したがって，先願発明の「普通図柄が当り図柄になっていないのに不正に可変入賞球装置１５を開放させ，第２始動入賞口１４に遊技球を入賞させた場合のように，第２始動入賞口１４が開状態以外の状態であるにもかかわらず，第２始動入賞口１４に遊技球が入賞して第２始動口スイッチ１４ａがオンした場合，第２始動入賞口１４への異常入賞が生じたと判定し，演出制御基板８０に異常入賞報知１指定コマンドを送信する遊技制御用マイクロコンピュータ５６０」は，本願発明の「前記可動役物制御手段による制御によらずに前記可動役物が開動作したときに，前記始動入賞口を遊技球が通過したことが前記検出手段によって検出されると，前記始動入賞口を遊技球が通過したことを示す遊技球通過情報を出力する遊技球通過情報出力手段」に相当する。
　
（９）先願発明の「パチンコ遊技機１」は，本願発明の「遊技機」に相当する。
　したがって，先願発明の「遊技制御用マイクロコンピュータ５６０は，普通図柄の停止図柄が当り図柄であれば，可変入賞球装置１５の開閉動作を実行し，可変入賞球装置１５が物理的に閉じている状態のときは第２始動入賞口１４に遊技球が入賞しないパチンコ遊技機１」は，本願発明の「前記可動役物制御手段が前記普通図柄抽選部による抽選結果が当たりの場合に前記可動役物を開放させると共に，前記可動役物が開動作しないと，前記遊技盤に発射された遊技球が，その可動役物によって案内される前記始動入賞口を通過しないようにされた遊技機」に相当する。
　
（１０）先願発明の「可変入賞球装置１５」は，本願発明の「始動入賞口可動役物」に相当する。 
　したがって，先願発明の「可変入賞球装置１５は，遊技盤６に設けられる遊技領域７に発射された遊技球を，可変入賞球装置１５が開いた状態になることによって，第２始動入賞口１４に入賞し易くなるように開閉されると共に，可変入賞球装置１５が物理的に閉じている状態のときは第２始動入賞口１４に遊技球が入賞しない可変入賞球装置１５であり」は，本願発明の「前記可動役物は，前記遊技盤に発射された遊技球を，前記始動入賞口へ案内するために開閉動作すると共に，その閉鎖状態において前記始動入賞口への遊技球の入賞を不可能とする始動入賞口可動役物を含み」に相当する。
　
（１１）先願発明の「遊技制御用マイクロコンピュータ５６０は，第２始動入賞口１４への異常入賞が発生したと判定したことにもとづいて，第２始動入賞口１４への異常入賞が検出された時点で，特別図柄表示器８において特別図柄の変動中でないときは，直ちに特別図柄の変動が禁止され，特別図柄表示器８において特別図柄の変動中であったときは，特別図柄の変動を継続させ，次の特別図柄の変動が禁止されるように制御し」及び「演出制御用マイクロコンピュータ１００は，異常入賞報知１指定コマンドを受信した時点で，可変表示装置９において飾り図柄の変動中でないときは，直ちに飾り図柄の変動が禁止され，可変表示装置９において飾り図柄の変動中であったときは，飾り図柄の変動を継続させ，次の飾り図柄の変動が禁止されるように制御する」は，本願発明の「前記図柄表示手段は，前記可動役物制御手段による制御によらずに前記始動入賞口可動役物が開動作したときに，前記始動入賞口を遊技球が通過したことが前記検出手段によって検出された場合には，その遊技球の通過による前記図柄の変動表示を行わないよう制御する」に相当する。
　
（１２）上記（１）〜（１１）から，本願発明と刊行物１発明とは，
「遊技盤に形成された始動入賞口を遊技球が通過したことを検出する検出手段と，
　前記検出手段により前記遊技球を検出したことを契機として抽選を行う抽選手段と，
　前記始動入賞口を遊技球が通過したことが前記検出手段によって検出された場合に，図柄の変動表示を開始し，その後，前記変動表示を開始した図柄を停止表示させる図柄表示手段と，
　前記遊技盤に発射された遊技球を，前記遊技盤に形成された前記始動入賞口へ案内するために開閉動作する可動役物と，
　前記可動役物の開閉動作を制御する可動役物制御手段と，
　前記遊技盤に配置され，遊技球が通過可能な普通図柄作動ゲートと，
　前記普通図柄作動ゲートを遊技球が通過したことを契機として抽選を行う普通図柄抽選部と，
　前記可動役物制御手段による制御によらずに前記可動役物が開動作したときに，前記始動入賞口を遊技球が通過したことが前記検出手段によって検出されると，前記始動入賞口を遊技球が通過したことを示す遊技球通過情報を出力する遊技球通過情報出力手段と，を有し，
　前記可動役物制御手段が前記普通図柄抽選部による抽選結果が当たりの場合に前記可動役物を開放させると共に，前記可動役物が開動作しないと，前記遊技盤に発射された遊技球が，その可動役物によって案内される前記始動入賞口を通過しないようにされた遊技機であって，
　前記可動役物は，前記遊技盤に発射された遊技球を，前記始動入賞口へ案内するために開閉動作すると共に，その閉鎖状態において前記始動入賞口への遊技球の入賞を不可能とする始動入賞口可動役物を含み，
　前記図柄表示手段は，前記可動役物制御手段による制御によらずに前記始動入賞口可動役物が開動作したときに，前記始動入賞口を遊技球が通過したことが前記検出手段によって検出された場合には，その遊技球の通過による前記図柄の変動表示を行わないよう制御することを特徴とする遊技機。」
　である点で一致し，相違点はない。
　
４　むすび
　以上のとおり，本願発明は，先願発明と同一であり，しかも，本願発明の発明者が先願発明の発明者と同一であるとも，また，本願の出願時に，その出願人が先願発明の出願人と同一であるとも認められないので，特許法第２９条の２の規定により特許を受けることができない。
　したがって，本願は，拒絶されるべきものである。　
　よって，結論のとおり審決する。